(57)【特許請求の範囲】
【請求項１】
容器の複数個を一単位として少なくても一方向から巻装被覆により一括集積包装し、その巻装方向に対して直角方向断面部分が開口して容器の一部が露出し、かつ該開口の四隅に瓶あるいは缶等の容器の落下防止用の係止面板部を具備するマルチパック包装体に係止させるプレミアム取付板であり、該プレミアム取付板は表示面板部と挿入面板部および係止片および取付片を有し、表示面板部にはその一方の長辺部分に設けた折目線を介して先端が湾曲形状の挿入面板部が短辺部分のそれぞれには取付片がそれぞれ連設され、さらに挿入面板の外側両端部分の互いに平行な折目線を介して係止片が連設されてなり、マルチパック包装体の開口より挿入面板部を容器上蓋とマルチパック包装材内側面との間に挿入し係止片によりマルチパック包装体の係止面板部で係止させることを特徴とするマルチパック用プレミアム取付け表示板。
【請求項２】
容器の複数個を一単位として少なくても一方向から巻装被覆により一括集積包装し、その巻装方向に対して直角方向の断面部分が開口して容器の一部が露出し、かつ該開口の四隅に瓶あるいは缶等の容器の落下防止用の係止面板部を具備するマルチパック包装体に係止させるプレミアム取付板であり、該プレミアム取付板は表示面板部と挿入面板部を有し、表示面板部にはその一方の長辺部分に設けた折目線を介して扇形状の挿入面板部が連設され、マルチパック包装体の開口より挿入面板部を容器上蓋とマルチパック包装材内側面との間に挿入し係止片によりマルチパック包装体の係止面板部で係止させることを特徴とするマルチパック用プレミアム取付け表示板。
【請求項３】
容器の複数個を二列に整列して一単位として少なくても一方向から巻装被覆により一括集積包装し、その巻装方向に直角方向断面が開口して少なくても二個の容器が整列され露出した形態のマルチパック包装体に係止させるプレミアム取付板であり、該プレミアム取付板は長方形状の表示面板部とこの表示面板部の一方の長辺の中央部分に折目線を介して連設される矩形状の挿入面板部とを少なくとも具備し、前記挿入面板部の先端近辺には楕円状の係止用の穴の2つがそれらで逆八の字を表わすように穿設されていると共にその両側辺の一部から前記係止穴の幅広になっている部分の外縁部分にかけては前記折目線と平行な一対の両端部折目線が、この該両端部折目線より僅かに先端部側に位置した箇所には一本の中央部折目線を有することを特徴とするマルチパック用プレミアム取付け表示板。
【発明の詳細な説明】
【０００１】
【発明の属する技術分野】
本発明は、ジュース、コーラ、お茶などの清涼飲料水やアルコール飲料、あるいは果実、野菜、水産物の食品類等を充填した缶、瓶等の容器の複数個を一括集積して包装したマルチパック包装体に販売を促進するためのプレミアム等を吊設したり、商品の広告や宣伝等を表示する表示板を取り付けるマルチパック用プレミアム取付板に関する。
【０００２】
【従来の技術】
従来より、お茶、ジュース、コーラなどの清涼飲料水やアルコール飲料、あるいは果実、野菜、水産物の食品類等を充填した瓶、缶等の容器の複数個を一単位として包み込む一括集積包装したマルチパック包装は消費者がまとめ買いをし易いように、ジュース、コーラなどの清涼飲料水やアルコール飲料、あるいは果実、野菜、水産物の食品類等をまとめて販売するときに採用されるものであり、近年大型スーパー、ディスカントショツプ等の増加と共に幅広く利用されている。
【０００３】
マルチパック包装としては、ポリエチレンあるいはポリプロピレン等の収縮フイルムを使用し、ジュース、コーラなどの清涼飲料水やアルコール飲料、果実、野菜、水産物の食品類等を充填した瓶あるいは缶等の容器の複数個を一単位として一括スリーブ包装あるいは開口している部分を加熱シール後、熱風トンネル等で収縮（シュリンク）させる熱収縮フイルムによるマルチパック包装（集積包装）も多く利用されていた。しかし環境問題等により年々熱収縮フイルムによるマルチパック包装（集積包装）は減少して行き、それに反比例する状態で板紙を利用したマルチパック包装が急激に増加している。
【０００４】
特に、瓶あるいは缶等の容器を１列あるいは２列に整列させて１枚の板紙を所定の形状に打抜かれているブランク板で巻装被覆した包装形態もマルチパック包装と言い、このマルチパック包装はここ数年で缶ビール、発砲酒等の６缶パック売りで著しい伸びを示し、缶ビール、発砲酒の包装の中で圧倒的に多く７〜８割程度を占めていると言われている。
【０００５】
このマルチパック包装は、瓶あるいは缶等の容器を上から板紙等のブランク板で巻き込んで底部においてロック封緘するボトムロック方式と、瓶あるいは缶等の容器を下から板紙等のブランク板で巻き込んで頂部においてロック封緘するトップロック方式のものとがあり、ボトムロック方式の物が一般的に多く使用されている。ボトムロック方式で瓶用として特表平８―５０５５９４号公報、第３０４８９３６号公報、実用新案昭６０―８９１６２号公報、缶用として特表平９―５０７８２１号公報、特開２００２―４６７６８号公報等に記載の事例があり、後者のトップロック方式の事例として実開昭６０―８９１６６２号公報に記載されている。
【０００６】
上記のボトムロック方式およびトップロック方式共にロックの形式には雄ロックと雌ロックを所定の位置で重ね合わせ突き刺すことにより封緘する差込式ロックが一般的に知られ且つ多く使用されている。また、ブランク板の封緘作業はほどんとが瓶および缶等の容器を集積する集積包装機と連動したマルチパック包装専用の封緘包装機を使用して内容物が充填された瓶あるいは缶等の容器の複数個を１単位として集積封緘されている。
【０００７】
また、板紙を所定の形状に打抜かれているブランク板は底面板、側面板、天面板からなる長方形の１枚のシートで複数個の容器を巻装被覆しロック結合されており、ブランク板の短辺方向両端部分は広く開口し、瓶あるいは缶等の容器が露出した形となっている、そのために瓶あるいは缶等の容器が露出している部分から瓶あるいは缶等の容器が飛び出し落下するのを防止するする為のブランク板の構造が前記特表平８―５０５５９４号公報記載、あるいは特表平９―５０７８２１号公報記載等で提案されているほかに、いろいろの形態あるいは構造のブランク板が提案されている。これらのブランク板は短辺方向両端の上端および下端の一方あるいは両方に鍔部を設けることにより収容されている瓶あるいは缶等の容器の落下を防止することが記載され事例が示されている。
【０００８】
さらに、マルチパック包装においては、従来のお茶、ジュース、コーラなどの清涼飲料水やアルコール飲料、あるいは果実、野菜、水産物の食品類等を充填した瓶あるいは缶等の容器の複数個を一単位として巻き込む一括集積包装で、消費者の複数買いによる販売量、販売額の増加と運搬、流通等の簡易化あるいは包装コストの低減をめざした運搬具としての目的がマルチパック包装に求められていた。
【０００９】
この為に、マルチパック包装に使用される板紙に要求される特性は紙の剛性、圧縮強度、引き裂き強度、耐水性、表面特性、印刷特性（板紙表面の平滑性）、外観特性、経済性等であり、特に板紙の強度が重視される事からマルチパック包装に使用される板紙あるいはブランク板の材質あるいは材料構成、構造または面取り方法など強度に関する特許が特開平１０―３３８２６６号公報記載はじめ多く提案されている他に、ブランク板を板紙に変えてＥフルート段ボール原紙を使用するものなど、多くの提案がなされている。
【００１０】
このようにマルチパック包装は板紙等のブランク板で瓶あるいは缶等の容器の包囲型包装であり、容器等をがっちりと押し付ける単一包装を形成する運搬具であった。しかしマルチパック包装が年々増加するのにつれてマルチパック包装体の外観を美粧化して、消費者の購買意欲を喚起する内容物（商品）の宣伝、広告面を重視した、マルチパック包装体の要望が一段と強くなってきている。その為に、マルチパック包装体に、より多くの宣伝、広告あるいは情報等を提供出来る面板部を設けたマルチパック包装体の構造あるいは形態が提案されている。中でも、従来、瓶あるいは缶等の容器が短辺方向両端面の開口部から落下を防止するために設けられていた四隅のコーナー部を宣伝あるいは広告等の情報を提供する掲示面板として設けられたマルチパック包装体が昭４５―２２１１４号公報記載、特表平９―５０７８２１号公報記載あるいは特表平９―５０７８２１号公報記載、特表平１０―５０３１５８号公報記載、特開２０００―２８９７７１号公報記載等に提案されている。
【００１１】
上記の特公昭４５―２２１１４号公報に記載されているマルチパック包装体は図９に示すような形態のブランク板が提案されている。また図１０は図９のブランク板で内容物等が充填された瓶あるいは缶等の容器の複数個を一単位として包装したマルチパック包装体の外観形状を示す斜視図で、マルチパック包装体は短辺方向両端開口部の瓶あるいは缶等の容器が露出している上端部周辺に本来、瓶あるいは缶等の容器の落下を防止するために設けられた係止部に宣伝、広告等の情報等を掲示することが提案され、６個の容器を3個ずつ２列に整列させたブランク板で巻装被覆することによって略四角筒状に包装されたマルチパック包装体が形成されている。また、ブランク板の天面板部はマルチパック包装体を持ち運ぶ為に指を差し込む孔が設けられている。
【００１２】
また、略角筒状に包装するためのマルチパック包装体のブランク板は図９に示すように中央に天面板部４を設け、天面板部４の長辺方向に適宜の間隔で平行な天面板折目線１１、１２が設けられその天面板折目線１１、１２を介して天面板部４の左右が屋根型となる左斜面部５、右斜面部６が設けられ、さらに左斜面部５、右斜面部６の左右外側に左天面板折目線１１、右天面板折目線１２に平行に左斜面折目線１３、右斜面折目線１４を設け、左斜面折目線１３、右斜面折目線１４を介して外側長辺方向に右側面部７、左側面部８が設けられ左側面部７、右側面部８の外側に左斜面折目線１３、右斜面折目線１４に平行に左側面折目線１５、右側面折目線１６が設けられ、さらに左側面折目線１５、右側面折目線１６を介して左側斜面部２１、右側斜面部２２が設けられ、左側斜面部２１、右側斜面部２２の外側に左側面折目線１５、右側面折目線１６に平行な左側斜折目線１７、右側斜折目線１８が設けられ、左側斜折目線１７、右側斜折目線１８を介して左底面板部９、右底面板部１０が設けられ、さらに左底面板部９、右底面板部１０の外側に左側斜折目線１７、右側斜折目線１８に平行に左底板折目線１９、右底板折目線２０を設けると共に左底板折目線１９、右底板折目線２０の外側にブランク板の左右を結着させる為の左ロック面板部２３、右ロック面板部２４が設けられ、天面板部４および左斜面板部５、右斜面板部６の短辺方向両端面に販売促進の為の宣伝あるいは広告となる前鍔部３５、後鍔３６が設けられている。
【００１３】
また、マルチパック包装体を形成するには瓶あるいは缶等に内容物が充填された複数個の容器群の上にブランク板１を載せ容器群を覆うように左天面折目線１１、右天面折目線１２および左斜面折目線１３、右斜面折目線１４を内側に折り曲げ左側面板８と右側面板７が包装される容器面に重ね合わさると同時に左側斜折目１７と右側斜折目１８に連設されている左底面部９と右底面部１０が容器底部を覆い、さらに右底面部１０の右底板折目線２０に連設している右ロック面板部２４の長辺方向を略直角に折り曲げ2列の容器の中心に挿入すると同時に左ロック面板部２３に設けられている雄面部２５、２６、２７、２８を略直角に折り曲げられている右ロック面板部２４に設けられている雌面部２９、３０、３１、３２に挿入ロックされ、ブランク板が角筒形状に形成結合され、図９に示すようにマルチパック包装体２は天面板部４短辺方向の両端の前鍔３５、後鍔３６を天面板部４に略直角に内側に折り曲げ、さらに左天斜面部５、右天斜面部６両端に設けられている鍔４１、４２、４３、４４をブランク板１内面と容器の間に折り畳んで差し込み係止され、マルチパック包装体２の両端面部上端部に宣伝、広告等の販売促進等の情報掲示部がもうけられている。
【００１４】
また、図１１は特表平１０―５０３１５８号公報に記載されているブランク板１の展開図で、長方形のブランク板１の中央部にマルチパック包装体２の天面となる天面板部４を設け長辺方向の適宜の箇所に平行に折目線を設け、一方を左天面折目線１１、他方を右天面折目線１２とし、左天面折目線を介して外側に左天斜面部５、右天面折目線を介して外側に右天斜面部６を設け、左天斜面部５の外側に左天面折目線１１に平行に左天斜面折目線１３、右天斜面部６の外側に右天面折目線１１に平行に右天斜面折目線１４を設けと共に左天斜面折目線１３を介して外側に左側面板部７、右天斜面折目線１４を介して外側に右側面板部８が連設され、さらに左側面板部７の外側に左天斜面折目線１３に平行に左側面折目線１５、右側面板部８の外側に右天斜面折目線１４に平行に右側面折目線１６を設け、左側面折目線１５の外側に左底斜面部１９、右側面折目線１６の外側に右斜面部２０を設け、左底斜面部１９の外側に左側面折目線１５に平行に左底斜面折目線１７、右斜面部２０の外側に右側面折目線１６に平行に右底斜面折目線１８が設けられ、左底斜面折目線１７を介して左底面板部９、右底斜面折目線１８を介して右底面板部１０が連設つれ、さらに右底面板部１０の外側に右底斜面折目線１８に平行に右底斜面折目線５７を設けると共に右底斜面折目線５７を介して雄ロック面板５２を設ける形態が記載されている。
【００１５】
また、左底面板部９には雄ロック面板５２が差し込まれ、マルチパック包装体２が角筒状に形成されると共にロック結合させる為のロック固定穴５１が設けられている。また左天斜面部５、右天斜面部６、左側面板部７、右側面板部８、および左底斜面部１９、右斜面部２０の短辺方向の両端に折目線２３、２４、２５、２６を設け、折目線を介して鍔部５２、５３、５４、５５が連設され、さらに容器群が露出している両端側面開口部の上下四隅に宣伝、広告等の情報提示が出来る三角形状の係止面板部Ａ、Ｂ、Ｃ、Ｄを設ける為に左天斜面部５、右天斜面部６、左底斜面部１９、右底斜面部２０の短辺方向外側に鍔部５２、５３、５４、５５を折り込み易くする為の所定形状の穴５６が抜脱され、抜脱された穴５６の外側に３三本の折目線が放射状に設けられ、その内の１本は左天面折目線１１、右天面折目線１２、左底斜面折目線１７、右底斜面折目１８の両先端部で交わり三角形状を形成し、瓶あるいは缶等の容器を巻装する時にはブランク板１の鍔部５２、５３、５４、５５を内側に折り畳んで容器を覆い、左底面板部９のロック固定穴５１に底面折目線５７を介して連設されている雄ロック面板５２が差し込まれ図１２に示すようなマルチパック包装体２が角筒状に形成し結合される。
【００１６】
さらに、角筒状に形成結合されたマルチパック包装体２は図１２に示すように短辺方向両端開口部１３の容器が露出している四隅に宣伝あるいは広告等の販売促進用あるいは情報掲示等が施される三角形状の係止部Ａ、Ｂ、Ｃ、Ｄが形成され且つ両側面板部７、８の開口部１３端面は鍔部５２、５３、５４、５５が折り畳まれている状態になっている。
【００１７】
また天面板部４はマルチパック包装体２を持ち運びするために指を差し込むための差し込み孔２１、２２が設けられ、内容物が充填された瓶あるいは缶等の容器４を複数個を一単位として天面板部４および両側面板７、８、底面部９、１０で巻装被覆し角筒状に形成される。
【００１８】
さらに、特表平１０―５０３１５８号公報記載と略同様なブランク板１の形態のマルチパック包装体２として図１３に示す形状が特開２０００―２８９７７１号公報記載に提案されている。特表平１０―５０３１５８号公報記載との大きな相違点は左天斜面部５、右天斜面部６および左底斜面部１９、右底斜面部２０を特開２０００―２８９７７１号公報記載では持たない構造である他に、マルチパック包装体２の短辺方向両端面開口部１３の瓶あるいは缶等の容器が露出している天面板部４と両側面板部７、８および底面板部９、１０と側面板部のコーナーに三角形状の係止面板部Ａ、Ｂ、Ｃ、Ｄを設け、その係止面板部Ａ、Ｂ、Ｃ、Ｄに宣伝、広告等の販売促進用の掲示を施すことがいずれも同様に提案されている。
【００１９】
また、マルチパック包装体２の短辺方向両端開口部１３の天面板部４と両側面板部７、８および底面板部９と両側面板部７、８のコーナーに設けた三角形状の係止面板部Ａ、Ｂ、Ｃ、Ｄ上に消費者にアピールするためのキーワードあるいは商品コンセプト、セールストーク、内容量等の他、ある特定期間等のキャンペーンで従来の販売と異なる点を強調する他、店頭先で他社商品と優位性、見栄え等の差別化を計る事が特開２０００―２８９７７１号公報に記載されている。
【００２０】
店頭先で他社商品との優位性、見栄え等の差別化あるいはキャンペーン等で消費者に商品をアピールすることのできる情報告知機能付きマルチパック包装体２は上記のように、マルチパック包装体２のブランク板１の構造によるもの他に、マルチパック包装体２の短辺方向両端面の瓶あるいは缶等の容器３が露出している開口部１３に特定のＰＯＰ（Ｐｏｉｎｔ  oｆ  Ｐｕｒｃｈａｓｅの略で購買時点に設置される宣伝材料）表示構造部材１０を設けた物が実用新案登録第３０７１９７５号公報記載、特開平８―６９２５１号公報記載あるいは特開２００１―２７０５５８号公報に記載されている。また、ＰＯＰ表示構造部材１０をマルチパック包装体２の天面板部４上に設けた構造の物が特開平１０―２０７３６号公報に記載されている。
【００２１】
実用新案登録第３０７１９７５号公報に記載されているＰＯＰ表示構造部材１０は図１４（a〜ｂ）に示すように板状部材を屈折して形成されていて、ＰＯＰを備えた表示部１１と表示部１１の左右両端に折目線を設け、折目線を介して左右に挿入部１２が連設され、さらに挿入部１２の外側に折目線を設け、折目線を介して両外側に掛止部１４が連設され、掛止部１４は挿入部１２の外側に折り畳まれた状態でマルチパック包装体２に差し込まれる。またＰＯＰ表示部材１０を取付けるマルチパック包装体２は図１５（a〜b）に示すようにマルチパック包装体２の短辺方向両端の瓶あるいは缶等の容器３が露出している開口部１３のブランク板が折り返されている鍔面部１６に掛止部１４を噛み合わせて係合されるマルチパック包装体２のＰＯＰ表示部材１０の構造が記載されている。
【００２２】
また、図１５（b）に示すようにPOP表示部材１０はマルチパック包装体２の短辺方向両端の瓶あるいは缶等の容器が露出している開口部１３のブランク板が折り返されている鍔面部１６にPOP表示部材１０の掛止部１４が噛み合わされ係合される構造である為にマルチパック包装体２の短辺方向両端開口部１３のブランク板が折り返されている鍔面部１６を設けていないマルチパック包装体２ではPOP表示部材１０は使用出来ない構造である。
【００２３】
また、特開２００１―２７０５５８号公報記載あるいは実用新案登録第３０７１９７５号公報記載に特定形状をした図１６（a〜b）に示すようなＰＯＰ表示部材１０が提案されている。
【００２４】
特開２００１―２７０５５８号公報記載のＰＯＰ表示構造部材１０は図１６（a）に示すようにPOPを備えた表示部１１と表示部１１の長辺方向の一方に表示折目線１５を設け、表示折目線１５を介して挿入部１２が連設され、挿入部１２の外側に表示折目線１５に平行に適宜の箇所に挿入折目線１６が設けられ、挿入折目線１６を介して容器の上蓋の内側面に係合する掛止部１４が設けられているＰＯＰ表示構造部材１０の構造が提案されている。
【００２５】
また、ＰＯＰ表示構造部材１０は図１６（ｂ）に示すように、表示部１１の一方に設けられている表示折目線１５から挿入部１２が表示部１１に対して略直角に折り曲げられさらに挿入部１２の外側に設けられている挿入折目線１６の外側掛止部１４を内側に折り畳み、図１７（a〜b）に示すようにマルチパック包装体２の短辺方向両端面の瓶あるいは缶等の容器３が露出している開口部１３の天面板部４内側の容器３上蓋面と容器３上蓋面との間に差し込み折り曲げられた掛止部１４が容器の上蓋の内側面に引っかかる事によりＰＯＰ表示構造部材１０が係合されるマルチパック包装体２のPOP表示構造部材１０の構造が記載されている。
【００２６】
さらに、図１８（a〜b）に示すようなマルチパック包装体２の天面板部４上面にPOP表示構造部材１０を設けることが特開平１０―２０７３６５号公報に記載されている。
【００２７】
マルチパック包装体２の天面板４に設けるPOP表示構造部材１０は表示部１１の一方方向に2つの差込片１２と２つの支柱片１３を設け、支柱片１３と差込片１２の長さは同等であり、支柱片１３の長さと表示部１１は折目線１４を介して連設され、差込片１２はマルチパック包装体３の持ち運び時に指を差し込む穴５に差し込まれると同時に図１８（ｂ）に示すように支柱片１３は表示部１１に対して左右直角に折り曲げられ天面板４に重合されPOP表示部材１０が立設されるPOP表示構造部材１０の構造が記載されている。
【００２８】
しかし、マルチパック包装体２の天面板４にPOP表示部材１０を設ける為に、全てのマルチパック包装体２に設けることは出来ず、マルチパック包装体３が店頭先等で積載されている最上部だけに取付けられるためにPOP表示構造部材１０の宣伝、広告等としての機能あるいはプレミアム等を吊設に販売促進を発揮させる効果には乏しいPOP表示構造部材１０の構造である。
【００２９】
【発明が解決しようとする課題】
スーパー、ディスカントショップ、コンビニエンスストア等の増加と環境問題からプラスチックフイルムによるシュリンク集積包装（加熱収縮集積包装）が減退する一方で板紙を使用するマルチパック包装が増加し、且つマルチパック包装体での商品販売を促進する為のキャンペーン、あるいは広告、宣伝等が激化している。この為に消費者の購買意欲を喚起するようなイラスト、キャッチフレーズ、写真、文字等をマルチパック包装体のブランク板の限られた大きさあるいは面積内で組み合わせてデザインされたマルチパック包装体が店頭先で如何に消費者の心を引き付け、購買意欲を喚起させるかにより売り上げが左右されると言われてきている。この為にマルチパック包装体２で容器以外の情報掲示部が成されていない短辺両端面開口部１３が注目され、マルチパック包装体２のブランク板１の構造によりマルチパック包装体２の短辺方向両端面の瓶あるいは缶等の容器３が露出している開口部１３に宣伝、広告等の情報掲示が設けられるマルチパック包装体２として上記した特公昭４５―２２１１４号公報記載、特表平９―５０７８２１号公報記載あるいは特表平１０―５０３１５８号公報記載、特開２０００―２８９７７１号公報記載に提案されている。また、マルチパック包装体２の短辺方向両端面の瓶あるいは缶等の容器３が露出している開口部１３にPOP表示構造部材１０を設けた物として実用新案登録第３０７１９７５号公報、特開２００１―２７０５５８号公報等に記載されている他に、マルチパック包装体２の天面板部４にPOP表示構造部材１０を設ける物とし特開平10―207365号公報に記載されている。
【００３０】
しかし、特表平１０―５０３１５８号公報記載、あるいは特開２０００―２８９７７１号公報に記載されているマルチパック包装体２の短辺方向両端面の瓶あるいは缶等の容器３が露出している開口部１３に設けられている宣伝、広告等の情報掲示は開口部１３の上端あるいは下端の四隅の僅かな領域であり、商品の販売を促進する為の遡及効果はほどんと無く、包装形状が多少違っているマルチパック包装体２が陳列されていると言う程度で、広告、あるいは宣伝、キャンペーン等の従来と異なった商品販売あるいは特別価格での販売期間であると言う情報掲示としての機能を果たすことは不可能である。
【００３１】
また、実用新案登録第３０７１９７５号公報記載のマルチパック包装体２は短辺方向両端面の瓶あるいは缶等の容器３が露出している開口部１３のブランク板１が折り返えされている鍔面部にPOP表示構造部材１０の掛止部１４が噛み合わされ係合される構造である為にマルチパック包装体２の短辺方向両端開口部１３のブランク板１が折り返されている鍔面部を設けていないマルチパック包装体２では使用出来ない為にマルチパック包装体２の形態構造が非常に少なくなりPOP表示構造部材１０の使用範囲が限定される。
【００３２】
さらに、特開平10―207365号公報に記載されているマルチパック包装体２の天面板部４にPOP表示構造部材１０を設けたものは店頭先でマルチパック包装体２が積載され陳列されている最上部のマルチパック包装体２以外には使用出来ず、また宣伝、広告効果が非常に乏しい。
【００３３】
また、特開２００１―２７０５５８号公報等が記載されているPOP表示構造部材１０はスリーブ状のマルチパック包装体２に使用も出来る構造であるが缶の上蓋の内径部にPOP表示構造部材１０の掛止部１４が係合される構造である為に缶の上蓋部に缶を開けるために設けているノブの厚みあるいは方向によってはPOP表示構造部材１０の掛止部14で係合がしにくいと言う欠点がある。
【００３４】
本発明は、上記のような従来の問題点を解決するために成されるものであり、その目的は、内容物が充填された瓶あるいは缶等の複数からなる容器３群を一単位としてブランク板で包装したマルチパック包装体２の短辺方向両端面の瓶あるいは缶等の容器３が露出している開口部１３の四隅のコーナー部分に広告、あるいは宣伝等の情報を提供するほかにプレミアム等の景品を添付出来るプレミアム取付け板１１を安易に、且つ販売中に落ちること無く強固に取りつけることが出来る。
【００３５】
また、すでに市場に出ているマルチパック包装体２の少なくとも上端に係止面板部Ａ、Ｂ、Ｃ、Ｄを設けている形態あるいは構造であればどのようなマルチパック包装２形態または構造の物にも容易にプレミアム取付板１１が使用出来る為に、内容物を充填した容器３の複数個を一単位としてマルチパック包装２を実施したメーカーが主催のキャンペーンだけでなく、POP表示構造部材１０を店頭販売店が独自の記念セールスあるいは日替わり広告等の販売でのプレミアム商品の提供等、使用される用途が非常に多く多岐に渡り利用出来るマルチパック用プレミアム取付板である。
【００３６】
【課題を解決するための手段】
上記問題点を解決するために、まず本発明の請求項１に係る発明は、容器の複数個を一単位として少なくても一方向から巻装被覆により一括集積包装し、その巻装方向に対して直角方向断面部分が開口して容器の一部が露出し、かつ該開口の四隅に瓶あるいは缶等の容器の落下防止用の係止面板部を具備するマルチパック包装体に係止させるプレミアム取付板であり、該プレミアム取付板は表示面板部と挿入面板部および係止片および取付片を有し、表示面板部にはその一方の長辺部分に設けた折目線を介して先端が湾曲形状の挿入面板部が短辺部分のそれぞれには取付片がそれぞれ連設され、さらに挿入面板の外側両端部分の互いに平行な折目線を介して係止片が連設されてなり、マルチパック包装体の開口より挿入面板部を容器上蓋とマルチパック包装材内側面との間に挿入し係止片によりマルチパック包装体の係止面板部で係止させることを特徴とするマルチパック用プレミアム取付け表示板である。
【００３７】
次に、本発明の請求項２に係る発明は、容器の複数個を一単位として少なくても一方向から巻装被覆により一括集積包装し、その巻装方向に対して直角方向の断面部分が開口して容器の一部が露出し、かつ該開口の四隅に瓶あるいは缶等の容器の落下防止用の係止面板部を具備するマルチパック包装体に係止させるプレミアム取付板であり、該プレミアム取付板は表示面板部と挿入面板部を有し、表示面板部にはその一方の長辺部分に設けた折目線を介して扇形状の挿入面板部が連設され、マルチパック包装体の開口より挿入面板部を容器上蓋とマルチパック包装材内側面との間に挿入し係止片によりマルチパック包装体の係止面板部で係止させることを特徴とするマルチパック用プレミアム取付け表示板である。
【００３８】
次に、本発明の請求項３に係る発明は、  容器の複数個を二列に整列して一単位として少なくても一方向から巻装被覆により一括集積包装し、その巻装方向に直角方向断面が開口して少なくても二個の容器が整列され露出した形態のマルチパック包装体に係止させるプレミアム取付板であり、該プレミアム取付板は長方形状の表示面板部とこの表示面板部の一方の長辺の中央部分に折目線を介して連設される矩形状の挿入面板部とを少なくとも具備し、前記挿入面板部の先端近辺には楕円状の係止用の穴の2つがそれらで逆八の字を表わすように穿設されていると共にその両側辺の一部から前記係止穴の幅広になっている部分の外縁部分にかけては前記折目線と平行な一対の両端部折目線が、この該両端部折目線より僅かに先端部側に位置した箇所には一本の中央部折目線を有することを特徴とするマルチパック用プレミアム取付け表示板である。
【００３９】
【発明の実施の形態】
本発明のマルチパック用プレミアム取付板を、実施の形態に沿って以下図面を用いて詳細に説明する。図１（a〜b）は本発明のマルチパック包装体のプレミアム取付板の一実施例を示す斜視図、図２（a〜ｃ）は本発明のマルチパック包装体のプレミアム取付板の一実施例を示す展開図、図３（a〜b）は本発明のマルチパック包装体のプレミアム取付板の一実施例を示す斜視図、、図４（a〜ｂ）は本発明のマルチパック包装体のプレミアム取付板の一実施例を示す展開図、図５（a〜b）は本発明のマルチパック包装体のプレミアム取付板の一実施例を示す斜視図、図６（a〜ｃ）は本発明のマルチパック包装体のプレミアム取付板の一実施例を示す展開図、図７（a〜ｂ）は本発明のマルチパック包装体のプレミアム取付板の一実施例を示す説明図、図８（a〜ｂ）は本発明のマルチパック包装体のプレミアム取付板の一実施例を示す展開図、（ｂ）は図８（ａ）の断面図、図９（a）は本発明のマルチパック包装体のプレミアム取付板の一実施例を示す説明図、（ｂ）は図９（a）の断面図である。
【００４０】
図１（ａ）は内容物が充填された瓶あるいは缶等の容器４の複数個を一単位としてマルチパック包装材２（ブランク板）で天面板部８、両側面板部６、７および底面板部９で巻装被覆され短辺方向両端開口部１３の瓶あるいは缶等の容器４が露出し、四隅に係止面板部Ａ、Ｂ、Ｃ、Ｄが設けられているマルチパック包装体３にマルチパック用プレミアム取付板が差し込まれる状態を示す。
【００４１】
また、図１（ｂ）はマルチパック包装体３の短辺方向両端面開口部１３の瓶あるいは缶等の容器４が露出し四隅に係止面板部Ａ、Ｂ、Ｃ、Ｄが設けられている上端の係止面板部Ａ、Ｂ、Ｃ、Ｄの内側でマルチパック用プレミアム取付板１の挿入面板部１１が天面板部８の内側と容器４上蓋面の間に差し込まれ、挿入面板部１１の外側に折目線１６を介して設けられている係止片１２がマルチパック包装体３の両側面板６、７の内側と重置し且つ係止面部Ａ、および係止面部Ｂの内側で係合すると同時にマルチパック用プレミアム取付板１の表示面板部１０が折目線１６から天面板部８に略直角に折り曲げられ係合される。
【００４２】
マルチパック用プレミアム取付板１は板紙、あるいは合成紙、またはプラスチックシートに印刷加工後、図２（ａ）に示すような所定の形状に打抜き加工と同時に所定箇所に折目線加工が施される
【００４３】
また、図２（ａ）に示すマルチパック用プレミアム取付板１は表示面板部１０、挿入面板部１１、係止片１２、取付片１５からなり、挿入面板部１１の一方はマルチパック包装体３の短辺方向開口部１３上端の天面板部８の内側と容器４上蓋の間に差し込み易いように先端が湾曲状に形成され、湾曲状の両端はマルチパック包装体３の短辺方向開口部１３幅と略同等幅の平行な折目線１６を設け、折目線１６を介して係止片１２が左右連設され、他方はマルチパック包装体３の短辺方向開口部１３上端に設けられた係止面板部Ａ、Ｂ、Ｃ、Ｄ間の大きさとし、挿入面板部１１は矢印状を形成すると同時に挿入面板部１１の他方先端に折目線１４を設け、折目線１４の外側に折目線１４を介して表示面板部１０が連設され、表示面板部１０の両端の上側に折目線１４を介して取付片１５が連設されている。
【００４４】
また、マルチパック用プレミアム取付板１はマルチパック包装体３に差し込み係合する前に図２（ｂ）に示すように左右の取付片１５を折目線１４から内側に折り曲げ表示面板部１０の裏面と結合するか、あるいは図２（ｃ）に示すように軟包材等で包装されているプレミアム品２２の包装部材２１を表示面板部１０裏面で取付片１５と挟んで吊着する。吊着作業はマルチパック用プレミアム取付板１がマルチパック包装体３に差し込まれる前に施しても良いし、またマルチパック用プレミアム取付板１がマルチパック包装体３に差し込まれた後にもプレミアム品２２の包装部材２１を表示面板部１０裏面で取付片１５と挟んで吊着することもできる。
【００４５】
さらに、本発明の一実施例として図３（ａ）に示すようなマルチパック包装体３の短辺方向両端面開口部１３の瓶あるいは缶等の容器４が露出している四隅に三角形状の係止面板部Ａ、Ｂ、Ｃ、Ｄが設けられている天面板部８の内側と容器４の上蓋面の間に、形態がシンプルで安価なマルチパック用プレミアム取付板１が差し込まれる状態で、内容物が充填された瓶あるいは缶等の容器はマルチパック包装体３の天面板部８、両側面板部６、７および底面板部９で巻装被覆されている。
【００４６】
また、図３（ｂ）はマルチパック用プレミアム取付板１がマルチパック包装体３の短辺方向両端面開口部１３の瓶あるいは缶等の容器４が露出している四隅に三角形状の係止面板部Ａ、Ｂ、Ｃ、Ｄが設けられている天面板部８の内側と容器の上蓋面の間に挿入面板部１１が差し込まれ表示面板部１０が天面板８に略直角に折り曲げられ、宣伝あるいは広告またはキャンペーン等の情報等を掲示する他、図４（ｃ）に示すように軟包材等で包装されているプレミアム品２２の包装部材２１を表示面板部１０に取付け吊着する事もできる。
【００４７】
マルチパック用プレミアム取付板１の形態がシンプルで安価であるだけでなくマルチパック包装体に強固に係合出来る。また、図４（ａ）に示すように挿入面板部１１は差し込み易いように扇形状を形成し、扇形状の下端部に折目線１４を設け、折目線１４を介して表示面板部１０が連設されている。
【００４８】
図２および図４あるいは図６に示すようなマルチパック用プレミアム取付板１の板紙は両面カード紙あるいはマニラボール紙または裏白ボール紙、アイボリー紙等の坪量が１６０ｇ／ｍ2 〜６００ｇ／ｍ2程度の板紙を使用することができる、また板紙の片面あるいは両面に印刷が施され且つ、耐水性、美粧性を必要とする場合は印刷加工後に表面加工等が施される。
【００４９】
また、マルチパック用プレミアム取付板１がマルチパック包装体３に差し込まれた後に冷蔵保存等を行うためにマルチパック包装材（ブランク板）２と同様の耐水性が要望される場合には板紙を抄造する工程で耐水剤等を添加して抄造するか、あるいは印刷加工以前に耐水性を附与する天然ゴムラテックス、ポリ塩化ビニル、ポリ塩化ビニリデン等を含浸あるいはロールコート加工等を施す事ができる。尚、耐水剤としてポリビニルアルコール樹脂、ポリアクリルアミン、澱粉等の耐水剤が使用される。
【００５０】
また、マルチパック用プレミアム取付板１の表面の耐水性を特に必要とする場合は板紙の表面にポリエチレン樹脂、あるいはポリプロピレン樹脂等を押出しコーティング等で施した後に印刷加工する事が望ましいが、数量の多い場合は印刷加工後にポリエチレン樹脂、あるいはポリプロピレン樹脂等を押出しコーティングまたはラミネート加工等を施すこともでき、且つ印刷加工後に押出しコーティングまたはラミネート加工等により印刷表面の光沢および艶が出て美粧効果が増大される。また、ポリエチレン樹脂、あるいはポリプロピレン樹脂等の樹脂層の厚みは１２〜４０μｍ程度が好ましいが、マルチパック用プレミアム取付け板に包装体等をヒートシール等で接合する場合は樹脂層を３０〜６０μｍ程度の厚さに施すことが望ましい。
【００５１】
また、板紙に変わり合成紙、あるいはポリプロピレン樹脂、ポリエステル樹脂、塩化ビニル樹脂等の厚さが０．６０〜１，５ｍｍ程度のプラスチックシートも使用することも出来るが、折目線加工に押し罫を加熱しなければならない場合がある。
【００５２】
板紙の印刷は平版印刷、凸版印刷、グラビア印刷、あるいはスクリーン印刷等で印刷され、必要に応じてラッカーコート、ビニールコート、塩化ビニリデンコート、プレス加工等の表面加工が施され、所定の形状に打抜き加工と同時に折目線加工が施される。
【００５３】
また、軟包材等で包装されているプレミアム品２２の包装部材２１を表示面板部１０の裏面あるいは取付片１５と挟んでホットメルト接着あるいはホチキスにより取り付けることが出来る。
【００５４】
さらに、上記のマルチパック用プレミアム取付板１は少なくともマルチパック包装体３の短辺方向両端面開口部１３の瓶あるいは缶等の容器４が露出している上端の左右のコーナーに三角形状の係止面板部Ａ、Ｂ、設けられている事が必要で、マルチパック用プレミアム取付板１はマルチパック包装体３の天面板部８の内側と容器４の上蓋面の間に挿入面板１１が差し込まれ係止面板部Ａ、Ｂ、Ｃ、Ｄの内側で係合されている。しかし係止面板部Ａ、Ｂ、Ｃ、Ｄのないマルチパック包装体３に係止させるマルチパック用プレミアム取付板１の一実施例として図５〜図９に示す。
【００５５】
マルチパック用プレミアム取付板１は図６（ａ）に示すように表示面板部１０の一方に表示折目線１４を設け、表示折目線１４を介して挿入面板部１１および表示面板部１０の両端面上に取付片１５が連設され、挿入面板部１１の適宜の２箇所に長円形状の穴２０を設け、さらに穴２０周縁の外側に適宜の間隔で表面折目線１４に平行な押え折目線１８を設け、さらに２箇所に長円形状の穴２０の内側に押え折目線１８から１〜２ｍｍ上部に返し折目線１９が設けられ、押え折目線１８および返し折目線１９を介して押え面板が連設されている。
【００５６】
また、表示面板部１０の両端の上部に表示折目線１４を介して設けられている取付片１５は表示折目線１４から図６（ｂ）に示すように表示面板部１０の裏面に折り畳まれ結合するか、図６（ｃ）に示すように軟包材等で包装されているプレミアム品２２の包装部材２１を表示面板部１０と取付片１５で挟み込みホットメルト接着剤あるいはホチキス等で結着し吊着する事もできる。
【００５７】
あるいは、マルチパック用プレミアム取付板１の裏面にポリエチレン樹脂あるいはヒートシール層等を施し、軟包材等で包装されているプレミアム品２２の包装部材２１の外側面がヒートシール性を有する樹脂フイルムまたはコートを設ける事により加熱シールで結着し、吊着することができる。
【００５８】
マルチパック用プレミアム取付板１は図５（ａ）に示すようにマルチパック包装体３の短辺方向両端面開口部１３の瓶あるいは缶等の容器４が露出している天面板部８の内側と容器４蓋上面の間に押え面板１７を外側に折り曲げ、さらに取付片１５を内側に折り畳んだ状態で挿入面板部１１が差し込まれ容器４の蓋材のカール部分と容器本体４のネック部分の窪んだ箇所に挿入面板部１１の一部が係止される。
【００５９】
図７（ａ）に示すようにマルチパック用プレミアム取付板１をマルチパック包装体３に差し込むときにはマルチパック用プレミアム取付板１の押え面板１７を挿入面板１１の上に折り重ねる。そうすると、中央部折目線１９を両端折目線１８から１mm〜２ｍｍずらして設けて有るので、これを同一直線上にあるのかの如く折り曲げると、挿入面板部１１の適宜の2個所に設けられている長円形状の穴２０の内側周縁が図７（ｂ）に示すようにスプーン形状にふくらみ容器の蓋材の巻締め下部と容器本体の窪み部にスプーン形状のふくらみ部が図8に示すように係合される。
【００６０】
また、軟包材等で包装されているプレミアム品２２の包装部材２１を表示面板部１０裏面と取付片１５で挟み込みホットメルト接着剤あるいはホチキス等で結着させる吊着作業は図５（ｂ）に示すようなマルチパック包装体３にマルチパック用プレミアム取付板１が差し込まれ蓋材のカール部分と容器４本体のネック部分の窪んだ箇所に係止された後でもあるいは差し込む前にプレミアム品２２が包装されている包装部材２１を表示面板部１０の裏面と取付片１５で吊着しても良い。
【００６１】
マルチパック用プレミアム取付板１は宣伝、広告等の情報掲示により消費者の購買意欲を喚起するような表示だけでなく包装部材２１で珍味、干し海苔、佃煮、スナック、米菓、チョコレート等の食品あるいはハンカチ、コースター、衣類等の日用雑貨品を包装部材２１で包装してマルチパック用プレミアム取付板１にプレミアム品２２として添付される。
【００６２】
内容物１５を包装するプラスチック材料等の包装部材２１は内容物あるいは保存方法、保存期間等に依って使用するプラスチック材料および材料構成が異なってくる。一実施例として、佃煮の包装部材２１としてポリエステル／ポリエチレンあるいはナイロン／ポリプロピレンの二層構成材料が使用される。また米菓、スナック、豆菓子等ではポリエステル／ポリプロピレン、ポリエステル／ポリエチレン／ポリプロピレン、等構成の包装部材が使用される。
【００６３】
また、内容物の包装は専用の自動包装機により三方シール、あるいは四方シールが行われる。その中でも三方シールによるピロー包装が多く利用されている。
【００６４】
【発明の効果】
本発明のマルチパック用プレミアム取付板１は、マルチパック包装体２の短辺方向両端面の瓶あるいは缶等の容器４が露出している開口部１３に容易にプレミアム商品を吊着させる他に宣伝、広告等の情報提示が可能であり且つ強固に取り付けることが出来る。
【００６５】
また、キャンペーンあるいは日替わりサービス、特売等での店頭先の限られた狭い場所でマルチパック包装体の短辺方向両端面の瓶あるいは缶等４の容器が露出している開口部１３にプレミアム商品等が添付され事により添付品が消費者の目にとまるように正面に向けて陳列されるために遠くからでも消費者の目にとまり購買意欲が喚起される。
【００６６】
本発明のマルチパック用プレミアム取付板１は板紙に印刷、表面加工等を施した後、所定の形状に折目線あるいは切れ目線加工と同時に外形が打抜かれている、非常にシンプルであるために店頭先で嵩張らず且つ店頭ですばやく、どのような形状のマルチパック包装体にも容易にプレミアム商品２２等も取り付けることができる。
【図面の簡単な説明】
【図１】本発明による一実施例のマルチパック包装体におけるマルチパック用プレミアム取付板が挿入される状態を示す斜視図（ａ）およびマルチパック包装体にマルチパック用プレミアム取付板が挿入された状態を示す斜視図（ｂ）である。
【図２】本発明による一実施例のマルチパック用プレミアム取付板の展開図（ａ）および取付片が表示面板の裏面に折り重ねられたマルチパック用プレミアム取付板の展開図（ｂ）およびマルチパック用プレミアム取付板にプレミアム商品が吊着された展開図（ｃ）
【図３】本発明による一実施例のマルチパック包装体におけるマルチパック用プレミアム取付板が挿入される状態を示す斜視図（ａ）およびマルチパック包装体にマルチパック用プレミアム取付板が挿入された状態を示す斜視図（ｂ）である。
【図４】本発明による一実施例のマルチパック用プレミアム取付板の展開図（ａ）およびマルチパック用プレミアム取付板にプレミアム商品が吊着された展開図（ｂ）
【図５】本発明による一実施例のマルチパック包装体におけるマルチパック用プレミアム取付板が挿入される状態を示す斜視図（ａ）およびマルチパック包装体にマルチパック用プレミアム取付板が挿入された状態を示す斜視図（ｂ）である。
【図６】本発明による一実施例のマルチパック用プレミアム取付板の展開図（ａ）および取付片が表示面板の裏面に折り重ねられたマルチパック用プレミアム取付板の展開図（ｂ）およびマルチパック用プレミアム取付板にプレミアム商品が吊着された展開図（ｃ）
【図７】本発明による一実施例の図６のマルチパック用プレミアム取付板がマルチパック包装体に挿入される状態の説明図（ａ）および図７（ａ）のA―A′断面図（ｂ）である。
【図８】本発明による一実施例のマルチパック用プレミアム取付板がマルチパック包装体に挿入され係合状態のを示す斜視図である。
【図９】従来の、マルチパック包装体に宣伝、広告等の情報掲示部が両端面開口部の上端部周辺に設けられているマルチパック包装体のブランク板の展開図である。
【図１０】従来の、マルチパック包装体に宣伝、広告等の情報掲示部が両端面開口部の上端部周辺に設けられているマルチパック包装体の外観形状を示す斜視図である。
【図１１】従来の、マルチパック包装体に宣伝、広告等の情報掲示部が両端面開口部の四隅のコーナーに係止面板が設けられているマルチパック包装体のブランク板の展開図である。
【図１２】従来の、マルチパック包装体に宣伝、広告等の情報掲示部が両端面開口部の四隅のコーナーに係止面板が設けられているマルチパック包装体のブランク板の斜視図である。
【図１３】従来の、マルチパック包装体に宣伝、広告等の情報掲示部が両端面開口部の四隅のコーナーに係止面板が設けられているマルチパック包装体のブランク板の斜視図である。
【図１４】従来の、マルチパック包装体の短辺方向両端面の開口部に宣伝、広告等のPOP表示部を設けるために使用されるPOP表示部材の展開図（ａ）および掛止部が折り畳まれた図１４の斜視図（ｂ）である。
【図１５】従来の、マルチパック包装体に図１４のPOP表示部材が係合された斜視図（ａ）およびPOP表示部材がマルチパック包装体と噛み合わされ係合されている状態の断面図である。
【図１６】従来の、マルチパック包装体の短辺方向両端面の開口部に宣伝、広告等のPOP表示部を設けるために使用されるPOP表示部材の展開図（ａ）および掛止部が内側に折り畳まれた図１６（ａ）の斜視図（ｂ）である。
【図１７】従来の、マルチパック包装体に図１６のPOP表示部材が係合された斜視図（ａ）およびPOP表示部材がマルチパック包装体と缶蓋で係合される状態の断面図（ｂ）である。
【図１８】従来の、マルチパック包装体の持ち運び用穴部にPOP表示部材が差し込まれる斜視図（ａ）およびPOP表示部材がマルチパック包装体の持ち運び用穴部で係合された斜視図（ｂ）である。
【符号の説明】
１…マルチパック用プレミアム取付板        ２…ブランク板
３…マルチパック包装体                    ４…容器
５…持ち運び用穴                          ６…側面板部
７…側面板部                              ８…天面板部
９…底面板部                              １０…表示面板部
１１…挿入面板部                          １２…係止片
１３…短辺方向両端開口部                  １４…折目線
１５…取付片                              １６…折目線
１７…押え面板部                          １８…両端折目線
１９…中央部折目線                        ２０…係止穴
２１…包装部材                            ２２…プレミアム品
２３…デルター部
【図１】
0004082091.tif 000002
【図２】
0004082091.tif 000003
【図３】
0004082091.tif 000004
【図４】
0004082091.tif 000005
【図５】
0004082091.tif 000006
【図６】
0004082091.tif 000007
【図７】
0004082091.tif 000008
【図８】
0004082091.tif 000009
【図９】
0004082091.tif 000010
【図１０】
0004082091.tif 000011
【図１１】
0004082091.tif 000012
【図１２】
0004082091.tif 000013
【図１３】
0004082091.tif 000014
【図１４】
0004082091.tif 000015
【図１５】
0004082091.tif 000016
【図１６】
0004082091.tif 000017
【図１７】
0004082091.tif 000018
【図１８】
0004082091.tif 000019